(57)【要約】【課題】  セキュリティを向上しつつ、ユーザ認証の手間を軽減すること。【解決手段】  表示ページの画像データの生成に用いられたページ要素データに基づいて省電力モード移行時間を設定するようにした（ステップＳ５）。そのため、情報量が多く、閲覧を終えるのに長い時間がかかるページを表示したときに、省電力モード移行時間を長く設定することができる。それゆえ、ユーザが閲覧を終える前に操作を受け付けない状態となることを防止でき、複数ページを順に閲覧しているときに、再認証の操作が要求されることを防止でき、ユーザ認証の手間を軽減することができる。また、情報量が少なく、閲覧をすぐに終えることができるページを表示したときには、省電力モード移行時間を短く設定することができる。その結果、電子ペーパが放置されたときに、すぐに再認証が必要な状態とすることができ、セキュリティを向上することができる。【選択図】  図３
2007121374.tif 000002
【特許請求の範囲】
【請求項１】
所定の表示体に所定の情報を表示する情報表示装置であって、
ユーザに認証操作を行わせる認証操作要求手段と、その認証操作を行ったユーザが前記情報表示装置の操作を許可されているユーザである場合には、前記情報表示装置が最後に操作されてから所定の許可時間が経過するまでの間だけ前記情報表示装置への操作を受け付ける操作許可手段と、を備え、
前記操作許可手段は、前記表示体の表示内容に基づいて前記許可時間を設定することを特徴とする情報表示装置。
【請求項２】
閲覧に要する予想時間が予め対応づけられている要素群に基づいて画像データを生成する画像データ生成手段と、その画像データを前記表示体に表示させる表示体駆動手段と、を備え、
前記操作許可手段は、前記画像データの生成に用いられた要素群の対応予想時間に基づいて前記許可時間を設定することを特徴とする請求項１に記載の情報表示装置。
【請求項３】
前記許可時間の設定に用いられた要素群の文字サイズ、表示言語およびコンテンツ種類に基づいて、前記操作許可手段で設定された許可時間を補正する許可時間補正手段を備えたことを特徴とする請求項２に記載の情報表示装置。
【請求項４】
閲覧に要する予想時間が予め対応づけられている画像データを前記表示体に表示させる表示体駆動手段を備え、
前記操作許可手段は、前記画像データに対応する予想時間を前記許可時間とすることを特徴とする請求項２に記載の情報表示装置。
【請求項５】
電力供給が停止されると記憶内容を破棄する記憶手段と、前記認証操作を行ったユーザが前記情報表示装置の操作を許可されているユーザであるか否かを判定し、その判定結果を前記記憶手段に記憶させるユーザ判定手段と、を備え、
前記操作許可手段は、前記操作を許可されているユーザであることを示す判定結果が前記記憶手段に記憶されている場合に、前記情報表示装置が最後に操作されてから所定の許可時間が経過するまでの間だけ前記情報表示装置への操作を受け付け、且つ、前記許可時間が経過すると前記記憶手段への電力供給を停止することを特徴とする請求項１から４のいずれか１項に記載の情報表示装置。
【請求項６】
前記表示体は、電力供給が停止されても表示内容を保持し続ける記憶性表示体であり、
前記情報表示装置が最後に操作されてから前記許可時間が経過するまでの間に前記記憶性表示体および当該記憶性表示体の駆動手段への電力供給を停止する電力供給停止手段を備えたことを特徴とする請求項１から５のいずれか１項に記載の情報表示装置。
【発明の詳細な説明】
【技術分野】
【０００１】
本発明は、所定の表示体に所定の情報を表示する情報表示装置に関する。
【背景技術】
【０００２】
従来、この種の技術としては、例えば、電力供給が停止されても表示内容を保持し続ける記憶性表示体にコンテンツの各ページを切り換え表示する情報表示装置がある。このような情報表示装置にあっては、消費電力の低減のために、表示内容の切り替え時にのみ電力を供給し、切り換え終了後には電力供給を停止するように構成することも考えられる。
また、例えば、任意の装置に搭載され、ユーザ認証を行い、認証が成功した場合にのみ操作を許可する認証装置がある。このような認証装置にあっては、一般に、電力供給が停止すると、認証結果を破棄し、電源供給時に再認証の操作を要求するようになっている。
【０００３】
ところで、上記従来の情報表示装置に認証装置を搭載すると、表示内容を切り換えるたびに、再認証の操作が要求されることとなり、ユーザに煩わしさを与える恐れがある。
そのため、例えば、コピー機やＦＡＸ等、動作終了後すぐに電力供給を停止する装置にあっては、動作終了後の一定期間、認証装置への電力供給の停止を延期することで、その期間は再認証の操作を要求されないようにする技術がある（例えば、特許文献１参照）。
【特許文献１】特開２００２−２７１５９号公報
【発明の開示】
【発明が解決しようとする課題】
【０００４】
しかしながら、上記従来の技術を情報表示装置に適用すると、消費電力低減およびセキュリティ向上の観点から、電力供給の停止までの一定期間として短い時間を設定することとなるが、例えば、切り替え表示されたページの情報量が多い場合には、表示内容を閲覧している最中に、前記一定期間が経過し、認証装置への電源供給が停止され、認証結果が破棄され、その結果、各ページの閲覧後、次ページを切り換え表示させるたびに、電力供給が再開され、再認証の操作が要求され、ユーザに煩わしさを与える恐れがあった。
【０００５】
本発明は、上記従来の技術の未解決の課題を解決することを目的とするものであって、セキュリティを向上しつつ、ユーザ認証の手間を軽減することができる情報表示装置を提供することを課題とする。
【課題を解決するための手段】
【０００６】
上記課題を解決するために、本発明の情報表示装置は、所定の表示体に所定の情報を表示する情報表示装置であって、ユーザに認証操作を行わせる認証操作要求手段と、その認証操作を行ったユーザが前記情報表示装置の操作を許可されているユーザである場合には、前記情報表示装置が最後に操作されてから所定の許可時間が経過するまでの間だけ前記情報表示装置への操作を受け付ける操作許可手段と、を備え、前記操作許可手段は、前記表示体の表示内容に基づいて前記許可時間を設定することを特徴とする。
【０００７】
また、閲覧に要する予想時間が予め対応づけられている要素群に基づいて画像データを生成する画像データ生成手段と、その画像データを前記表示体に表示させる表示体駆動手段と、を備え、前記操作許可手段は、前記画像データの生成に用いられた要素群の対応予想時間に基づいて前記許可時間を設定することを特徴とするようにしてもよい。
さらに、前記許可時間の設定に用いられた要素群の文字サイズ、表示言語およびコンテンツ種類に基づいて、前記操作許可手段で設定された許可時間を補正する許可時間補正手段を備えるようにしてもよい。
【０００８】
また、閲覧に要する予想時間が予め対応づけられている画像データを前記表示体に表示させる表示体駆動手段を備え、前記操作許可手段は、前記画像データに対応する予想時間を前記許可時間としてもよい。
このような構成によれば、情報量が多く、ユーザが閲覧を終えるのに時間のかかるページを表示した場合には、許可時間を長く設定することで、ユーザが閲覧を終える前に操作を受け付けない状態となることを防止でき、複数ページを順に閲覧しているときに、再認証の操作が要求されることを防止でき、ユーザ認証の手間を軽減することができる。
【０００９】
また、情報量が少なく、ユーザが閲覧をすぐに終えることができるページが表示されている場合には、前記許可時間を短く設定することで、情報表示装置が放置されたときに、すぐに再認証が必要な状態とすることができ、セキュリティを向上することができる。
さらに、電力供給が停止されると記憶内容を破棄する記憶手段と、前記認証操作を行ったユーザが前記情報表示装置の操作を許可されているユーザであるか否かを判定し、その判定結果を前記記憶手段に記憶させるユーザ判定手段と、を備え、前記操作許可手段は、前記操作を許可されているユーザであることを示す判定結果が前記記憶手段に記憶されている場合に、前記情報表示装置が最後に操作されてから所定の許可時間が経過するまでの間だけ前記情報表示装置への操作を受け付け、且つ、前記許可時間が経過すると前記記憶手段への電力供給を停止するようにしてもよい。
【００１０】
このような構成によれば、情報表示装置が放置されたときに、記憶手段への電力供給を早いタイミングで停止でき、その結果、情報表示装置の消費電力を低減することができる。
また、前記表示体は、電力供給が停止されても表示内容を保持し続ける記憶性表示体であり、前記情報表示装置が最後に操作されてから前記許可時間が経過するまでの間に前記記憶性表示体および当該記憶性表示体の駆動手段への電力供給を停止する電力供給停止手段を備えるようにしてもよい。
【００１１】
このような構成によれば、記憶性表示体への電力供給を早いタイミングで停止でき、その結果、情報表示装置の消費電力を低減することができる。
【発明を実施するための最良の形態】
【００１２】
以下、本発明の情報表示装置の実施形態を、複数のページに区切られた複数のコンテンツを表示可能な電子ブックリーダに適用した例を図面に基づいて説明する。
＜情報表示装置の構成＞
図１は、本実施形態における情報表示装置の内部構成を示すブロック図である。この電子ブックリーダ１は、キー入力装置２、状態制御装置３、省電力モード移行タイマ４、電源５、電源制御装置６、主要制御部７および認証装置８を含んで構成される。
【００１３】
キー入力装置２は、電子ブックリーダ１の各種操作のための複数のキーを備える。そして、キー入力装置２は、前記キーが操作されると、その操作されたキーを示すキー入力信号を状態制御装置３に出力する。
状態制御装置３は、キー入力装置２からキー入力信号が出力されると、主要制御部７および認証装置８への電力供給を開始させる指令（電力供給開始指令）を電源制御装置６に出力する。
【００１４】
また、状態制御装置３は、キー入力装置２からキー入力信号が出力されてから予め定められた一定時間（当該キー入力信号に応じて表示体１４にページ内容データが描画されるまでにかかる時間より長い時間であって、連続的なキー操作があった場合に、主要制御部７への電力供給が当該キー操作のたびに停止されることを防止でき、主要制御部７の起動処理のために動作レスポンスが遅くなってしまうことを防止するための時間、例えば、５秒）が経過した場合、主要制御部７への電力供給を終了させる指令（第１の電力供給終了指令）を電源制御装置６に出力するとともに、前記電力供給の終了時からの経過時間のカウントを開始させる指令（カウント開始指令）を省電力モード移行タイマ４に出力する。
【００１５】
さらに、状態制御装置３は、省電力モード移行タイマ４でカウントが行われているときに、キー入力装置２からキー入力信号が出力されると、カウント値をリセットさせる指令（リセット指令）を省電力モード移行タイマに出力する。
また、状態制御装置３は、表示内容に基づいて設定される省電力モード移行時間（後述）が省電力モード移行タイマ４でカウントされた場合、認証装置８への電力供給を終了させる指令（第２の電力供給終了指令）を電源制御装置６に出力する。
【００１６】
さらに、状態制御装置３は、キー入力装置２から出力されるキー入力信号を、主要制御部７のＣＰＵ１３（後述）に転送する。
省電力モード移行タイマ４は、状態制御部３からカウント開始指令が出力されると、経過時間のカウントを開始する。
また、省電力モード移行タイマ４は、経過時間のカウント中に、状態制御装置３からリセット指令が出力されるとカウント値をリセットする。
【００１７】
電源５は、外部から得た電力を蓄える二次電池であり、電子ブックリーダ１の各部２〜１０に電力を供給する。
電源制御装置６は、状態制御装置３から電力供給開始指令が出力されると、主要制御部７および認証制御部８への電力供給を開始する。
また、電源制御装置６は、状態制御装置３から第１の電力供給終了指令が出力されると、主要制御部７への電力供給を終了する。
【００１８】
さらに、電源制御装置６は、状態制御装置３から第２の電力供給終了指令が出力されると、認証装置８への電力供給を終了する。
主要制御部７は、カードコネクタ９、カードメディア制御装置１０、ＲＯＭ１１、ＲＡＭ１２、ＣＰＵ１３、表示体１４および表示体制御装置１５を含んで構成される。
カードコネクタ９は、表示対象であるコンテンツのデータ（コンテンツデータ）が記憶されたカードメディアを挿入可能に構成されている。
【００１９】
ここで、コンテンツデータは、図２に示すように、ヘッダー部、メタ情報部、第１〜第Ｎページ要素構造情報部および第１〜第Ｎページ要素データを含んで構成される。
ヘッダー部は、コンテンツデータのファイル構成の情報（ファイルサイズ、ファイル名）を記憶する領域である。
メタ情報部は、対応するコンテンツの属性情報（コンテンツの名称、著者、ページ数）を記憶する領域である。
【００２０】
第１〜第Ｎページ要素構造情報部は、対応するコンテンツの第１〜第Ｎページ（Ｎは、対応コンテンツの最終ページ番号）それぞれの属性情報を記憶する領域である。具体的には、対応するページのページ番号、ページ要素データへのオフセット、レイアウト情報（文字数、画像閲覧時間、文字サイズ、言語、分類）が記憶されている。
第１〜第Ｎページ要素データは、対応するコンテンツの第１〜第Ｎページそれぞれの文字（文章）や画像（挿絵）等のページ構成要素を記憶する領域である。
【００２１】
カードメディア制御装置１０は、ＣＰＵ１３から出力されるデータ読出指令（コンテンツデータを読み出させる指令）に対応するコンテンツデータを、カードコネクタ９に挿入されているカードメディアから読み出す。
ＲＯＭ１１は、ＣＰＵ１３で実行される基本制御プログラムやアプリケーションプログラム等の各種プログラム及びそれらプログラムに係るデータを記憶する。
【００２２】
ＲＡＭ１２は、各種プログラムを展開するワークエリアを形成するとともに、ＣＰＵ１３により実行される各種処理に係るデータを記憶するためのメモリ領域を形成する。
ＣＰＵ１３は、ＲＯＭ１１に記憶されている各種プログラム及びデータを読み込み、それら各種プログラムを実行して、電子ブックリーダ１の各部を制御する。
具体的には、ＣＰＵ１３は、任意のコンテンツ（ページ）が表示対象に選択されると、「許可状態」であることを示す認証情報が認証装置８に記憶されている場合には、カードコネクタ９に挿入されているカードメディアから当該コンテンツのコンテンツデータを読み出させるデータ読出指令をカードメディア制御部１０に出力する。
【００２３】
また、ＣＰＵ１３は、カードメディアから読み出されたコンテンツデータに基づいて表示ページのレイアウトを設定し、そのレイアウトに応じて表示ページのページ内容データ（表示体１５に表示させる画像データ）を生成する。
さらに、ＣＰＵ１３は、前記設定されたレイアウト（表示内容）に応じて、主要制御部７への電力供給を終了してから認証装置８への電力供給を終了するまでの時間（省電力モード移行時間）を算出し、その算出結果を状態制御装置３に出力する。
【００２４】
具体的には、レイアウトされた表示ページに含まれる文字や画像等のページ構成要素に基づいて省電力モード移行時間を算出する。例えば、１秒当たり１０文字読むことができ、また、コンテンツデータ生成時に予め定められた時間で画像を閲覧できるものとして、数式「文字数×０．１秒＋各画像に予め定められた時間の総和」に従って算出する。
次に、その算出結果を文字サイズ、言語、分類等の付加情報に基づいて補正する。例えば、文字が小さいと読み難いので、文字サイズが小さいほど省電力モード移行時間を長く補正する。また、母国語でない場合には読む時間がかかるため、外国語で記載されている場合には省電力モード移行時間を長く補正する。さらに、論文等の専門文書は小説等の一般文書よりも読みなれていなので、専門書である場合には省電力モード移行時間を長く補正する。
【００２５】
表示体１４は、電力供給が停止されても表示内容を保持し続ける記憶性表示体である。
表示体制御装置１５は、表示体１４を駆動し、ＣＰＵ１３で生成されるページ内容データを表示体１４に描画する。
認証装置８は、電力供給が開始されると、ユーザに認証操作を促すとともに、その認証操作を検出する。そして、認証装置８は、その検出結果に基づいて、電子ブックリーダ１の操作が許可されているユーザであるか否かを判定し、前記許可されているユーザであると判定された場合には、「許可状態」であることを示す認証情報を記憶する。なお、認証情報は、認証装置８への電力供給が終了すると破棄される。
＜情報表示装置の具体的な動作＞
まず、許可されているユーザが認証操作を行ったとする。すると、認証装置８により、認証処理が行われ、「許可状態」という認証情報が記憶される（図３のステップＳ１）。
【００２６】
また、ユーザがキー入力装置２を操作し、任意のコンテンツを表示対象に選択したとする。すると、ＣＰＵ１３により、認証情報として「許可状態」が認証装置８に記憶されていることが確認され、データ読出指令がカードメディア制御部１０に出力され、カードメディア制御装置１０により、カードコネクタ９に挿入されているカードメディアから前記選択されたコンテンツのコンテンツデータが読み出される。また、ＣＰＵ１３により、その読み出されたコンテンツデータに基づいて表示ページのレイアウトが設定され、そのレイアウトに応じて表示ページのページ内容データが生成される（ステップＳ２、Ｓ３）。そして、表示体制御装置１５により、その生成されたページ内容データが表示体１４に描画される（ステップＳ４）。
【００２７】
また同時に、ＣＰＵ１３により、前記設定されたレイアウトに応じて省電力モード移行時間が算出され（ステップＳ５）、その算出結果が状態制御装置３に出力される。
具体的には、表示ページに含まれる文字が１０００文字であり、画像が２枚であり、当該画像の閲覧に予め定められた時間が５秒であったとする。すると、省電力モード移行時間は、１１０（＝「１０００×０．１＋２×５」）秒と算出される。
【００２８】
また、文字サイズが８ポイントであり、言語が英語であり、分類が論文であったとする（通常の文字サイズが１０ポイントであり、母国語が日本語であるとする）。そして、１０ポイントで書かれた文字を読むのにかかる時間と８ポイントで書かれた文字を読むのにかかる時間との差が５％であり、日本語が母国語の人が日本語で書かれた文書を読むのにかかる時間と英語で書かれた文書を読むのにかかる時間との差が１０％であり、一般文書を読むのにかかる時間と専門文書を読むのにかかる時間との差が１５％であるとすると、補正値は、３１．５（＝１０５×（０．１０＋０．０５＋０．１５））秒となり、その結果、省電力モード移行時間は、１３６．５（＝１０５＋３１．５）秒となる。
【００２９】
そして、状態制御装置３により、前記描画の終了後、５秒間の待機状態を経た後（ステップＳ６〜Ｓ８）、第１の電力供給終了指令が電源制御装置６に出力され、電源制御装置６により、主要制御部７への電力供給が終了される（ステップＳ９）。また、状態制御装置３により、カウント開始指令が省電力モード移行タイマ４に出力され、省電力モード移行タイマ４により、経過時間のカウントが開始される（ステップＳ１０）。
【００３０】
また、移行時間のカウント中に、ユーザがキー入力装置２を操作したとする。すると、キー入力装置２により、キー入力信号が状態制御装置３に出力され、状態制御装置３により、リセット指令が省電力モード移行タイマ４に出力され、省電力モード移行タイマ４により、カウント値がリセットされ（ステップＳ１１「Ｙｅｓ」、Ｓ１５）、状態制御装置３により、電力供給開始指令が電源制御装置６に出力され、電源制御装置６により、主要制御部７への電力供給が開始される（ステップＳ１６）。そして、前記ステップＳ３から上記フローが繰り返し実行される。
【００３１】
ここで、ユーザが電子ブックリーダ１を放置し、省電力モード移行タイマ４により、省電力モード移行時間（１３６．５秒）がカウントされたとする。すると、状態制御装置３により、第２の電力供給終了指令が電源制御装置６に出力され、電源制御装置３により、認証装置８への電力供給が終了され（ステップＳ１３）、認証装置８に記憶されていた認証情報が破棄され、省電力モードに移行する（ステップＳ１４）。
【００３２】
このように、本実施形態の電子ブックリーダ１にあっては、表示ページの画像データの生成に用いられたページ要素データに基づいて省電力モード移行時間を設定するようにした。そのため、情報量が多く、閲覧を終えるのに長い時間がかかるページを表示したときに、省電力モード移行時間を長く設定できる。それゆえ、ユーザが閲覧を終える前に操作を受け付けない状態となることを防止でき、複数ページを順に閲覧しているときに、再認証の操作が要求されることを防止でき、ユーザ認証の手間を軽減することができる。
【００３３】
また、情報量が少なく、閲覧をすぐに終えることができるページを表示したときには、省電力モード移行時間を短く設定できる。その結果、電子ペーパ１が放置されたときに、すぐに再認証が必要な状態とすることができ、セキュリティを向上することができる。
さらに、キー入力信号が出力されてから予め定められた一定時間が経過したときに主要制御部７への電力供給を停止するようにしたため、主要制御部７への電力供給を早いタイミングで停止することができ、電子ブックリーダ１の消費電力を低減することができる。
【００３４】
以上、上記実施形態では、図１の認証装置８が特許請求の範囲に記載の認証操作要求手段を構成し、以下同様に、図１の状態制御装置３、電源制御装置６、ＣＰＵ１３、図３のステップＳ１〜Ｓ１６が操作許可手段を構成し、図１のＣＰＵ１３、図３のステップＳ３が画像データ生成手段を構成し、図１のＣＰＵ１３、表示体制御装置１５、図３のステップＳ４が表示体駆動手段を構成し、図１のＣＰＵ１３、表示体制御装置１５、図３のステップＳ５が許可時間補正手段を構成し、図１の表示体１４が記憶性表示体を構成し、図１の認証装置８は記憶手段を構成し、図１のＣＰＵ１３、図３のステップＳ１がユーザ判定手段を構成する。
【００３５】
なお、本発明の情報表示制御装置は、上記実施の形態の内容に限定されるものではなく、本発明の趣旨を逸脱しない範囲で適宜変更可能である。
上記実施形態では、予め定められた時間で画像を閲覧できるものとして省電力モード移行時間を設定する例を示したが、これに限られるものではない。例えば、画像の大きさが大きいほど閲覧に長い時間がかかるものとし、画像の大きさ（幅×高さ）に基づいて画像の閲覧に要する時間を算出して省電力モード移行時間を設定するようにしてもよい。
【００３６】
また、省電力モード移行時間の算出結果と、実際にユーザが表示ページの閲覧に要した時間との差を用いて省電力モード移行時間を設定するようにしてもよい。具体的には、省電力モード移行時間の算出結果が１３６．５秒であった場合に、実際の閲覧に要した時間が１３５秒であった場合、つまり、−１．５秒の差があった場合には、次に算出される省電力モード移行時間に１．５秒を減じる補正を行う。また、省電力モード移行時間を算出するたびに時間差を検出し、その検出結果の平均値を前記差に代えて用いるようにしてもよい。さらに、時間差の平均値を用いる場合には、認証装置８によってユーザを特定し、当該平均値をユーザ毎に管理するようにしてもよい。
【００３７】
さらに、最初にサンプル文書を表示し、ユーザが表示ページの閲覧に要する時間を検出するようにしてもよい。具体的には、ユーザが電子ブックリーダ１を初めて操作する場合や初期化操作がされた場合に、数ページのサンプル文書を表示し、閲覧が終了した時点でキー操作をさせて、サンプル文書の文書量と閲覧にかかった時間とを対応付ける。そして、表示ページの文書量とサンプル文書の文書量を比較して、閲覧時間を推定し、省電力モード移行時間に設定する。また、上記実施形態の数式から得られる省電力モード移行時間と、サンプル文書の文書量との比較で得られた閲覧時間との差を補正値として、前記省電力モード移行時間を補正するようにしてもよい。
【００３８】
また、コンテンツデータ（第１〜第Ｎページ要素データ、第１〜第Ｎページ要素構造情報部）に基づいて表示ページのレイアウトを設定し、そのレイアウトに応じて省電力モード移行時間を算出する例を示したが、これに限られるものではない。例えば、図４に示すように、コンテンツデータの第１〜第Ｎページ要素データに代えて第１〜第Ｎページデータ（対応するコンテンツの第１〜第Ｎページそれぞれの表示内容を１つの画像データとして記憶する領域）を設け、第１〜第Ｎページ要素構造情報部に代えて第１〜第Ｎページ構造情報部（対応するページのページ番号、ページデータへのオフセット、標準閲覧時間（前記対応するページの閲覧にかかる標準的な時間であり、当該ページの内容や文章の量等によって決まる時間）を記憶する領域）を設け、表示ページの標準閲覧時間を省電力モード移行時間に設定してもよい。
【００３９】
さらに、コンテンツデータに第１〜第Ｎページデータを記憶させる場合には、画像データの圧縮率に基づいて省電力モード移行時間を設定あるいは補正するようにしてもよい。具体的には、コンテンツの各ページがレイアウト済みの画像として記憶されていて、且つ、当該画像の画像データが圧縮されている場合には、その圧縮率に基づいて省電力モード移行時間を設定してもよい。例えば、文書量が少ない（多い）場合には、圧縮率が高く（低く）なるため、その圧縮率によって文書量を推定し、閲覧時間を推定して、省電力モード移行時間に設定するようにしてもよい。また、上記実施形態の数式から得られる省電力モード移行時間と、圧縮率に基づいて得られた閲覧時間との差を補正値として、前記省電力モード移行時間を補正するようにしてもよい。
【００４０】
また、第１〜第Ｎページ構造情報部それぞれに重要度を記憶させ、表示ページの重要度が高い場合には、主要制御部７への電力供給の終了と同時に認証装置８への電源供給も終了することで、認証情報を破棄し、セキュリティを高めるようにしてもよい。
【図面の簡単な説明】
【００４１】
【図１】情報表示装置の内部構成を示すブロック図である。
【図２】コンテンツデータを説明するための説明図である。
【図３】情報表示装置の動作を示すフローチャートである。
【図４】本発明の変形例を説明するための説明図である。
【符号の説明】
【００４２】
１は電子ブックリーダ、２はキー入力装置、３は状態制御装置、４は省電力モード移行タイマ、５は電源、６は電源制御装置、７は主要制御部、８は認証装置、９はカードコネクタ、１０はカードメディア制御装置、１１はＲＯＭ、１２はＲＡＭ、１３はＣＰＵ、１４は表示体、１５は表示体制御装置
【図１】
2007121374.tif 000003
【図２】
2007121374.tif 000004
【図３】
2007121374.tif 000005
【図４】
2007121374.tif 000006
【手続補正書】
【提出日】平成18年11月15日(2006.11.15)
【手続補正１】
【補正対象書類名】明細書
【補正対象項目名】００２３
【補正方法】変更
【補正の内容】
【００２３】
また、ＣＰＵ１３は、カードメディアから読み出されたコンテンツデータに基づいて表示ページのレイアウトを設定し、そのレイアウトに応じて表示ページのページ内容データ（表示体１４に表示させる画像データ）を生成する。
さらに、ＣＰＵ１３は、前記設定されたレイアウト（表示内容）に応じて、主要制御部７への電力供給を終了してから認証装置８への電力供給を終了するまでの時間（省電力モード移行時間）を算出し、その算出結果を状態制御装置３に出力する。
【手続補正２】
【補正対象書類名】明細書
【補正対象項目名】００３１
【補正方法】変更
【補正の内容】
【００３１】
ここで、ユーザが電子ブックリーダ１を放置し、省電力モード移行タイマ４により、省電力モード移行時間（１３６．５秒）がカウントされたとする。すると、状態制御装置３により、第２の電力供給終了指令が電源制御装置６に出力され、電源制御装置６により、認証装置８への電力供給が終了され（ステップＳ１３）、認証装置８に記憶されていた認証情報が破棄され、省電力モードに移行する（ステップＳ１４）。
【手続補正３】
【補正対象書類名】明細書
【補正対象項目名】００３３
【補正方法】変更
【補正の内容】
【００３３】
また、情報量が少なく、閲覧をすぐに終えることができるページを表示したときには、省電力モード移行時間を短く設定できる。その結果、電子ブックリーダ１が放置されたときに、すぐに再認証が必要な状態とすることができ、セキュリティを向上することができる。
さらに、キー入力信号が出力されてから予め定められた一定時間が経過したときに主要制御部７への電力供給を停止するようにしたため、主要制御部７への電力供給を早いタイミングで停止することができ、電子ブックリーダ１の消費電力を低減することができる。